(57)【特許請求の範囲】
【請求項１】
ＣＤ、ＤＶＤなどのメディアを保管するメディア保管部と、
前記メディアへのデータの書き込み、および前記メディアからのデータの読み出しを行うメディアドライブと、
前記メディアを搬送するメディア搬送機構と、
前記メディアドライブおよび前記メディア搬送機構を駆動制御する制御部とを有し、
当該制御部は、データ書き込み要求に応じて、前記メディア保管部から、未使用のブランクメディアを取り出してデータを書き込み、書き込み済みメディアとして前記メディア保管部に戻し、所定の記憶場所に当該書き込み済みメディアの識別情報、収納場所情報および書き込みデータに関する情報を記憶するメディア書き込み制御動作と、データ参照あるいは出力要求に応じて、対象となる前記書き込み済みメディアを前記記憶場所に記憶されている記憶情報を参照して特定し、前記メディア保管部から当該書き込み済みメディアを取り出して書き込みデータを読み出し、再び前記メディア保管部に戻すデータ読み出し制御動作とを実行するメディア処理装置であって、
前記メディア保管部は、前記ブランクメディアを厚さ方向に積層した状態で保管するためのブランクメディア供給部および前記書き込み済みメディアを厚さ方向に積層した状態で保管するための書き込み済みメディア保管部を備えており、
前記メディア搬送機構は、これらブランクメディア供給部および書き込み済みメディア保管部における最も上の位置から順次にメディアを取り出し可能であり、これらブランクメディア供給部および書き込み済みメディア保管部における最も上の位置に、順次にメディアを収納可能であり、
前記制御部は、取り出し対象の前記書き込み済みメディアが前記書き込み済みメディア保管部における最も上の位置に無い場合には、当該取り出し対象の書き込み済みメディアの上に積層されている書き込み済みメディアを前記ブランクメディア供給部に一時的に退避させて、当該取り出し対象の書き込み済みメディアの取り出しを行わせることを特徴とするメディア処理装置。
【請求項２】
請求項１において、
前記制御部は、データ追記要求に応じて、対象となる前記書き込み済みメディアを前記記憶場所に記憶されている記憶情報を参照して特定し、前記メディア保管部の書き込み済みメディア保管部から当該書き込み済みメディアを取り出して前記データを追記し、再び前記メディア保管部の前記書き込み済みメディア保管部に戻し、追記データに関する情報を前記記憶場所に記憶するデータ追記制御動作を実行することを特徴とするメディア処理装置。
【請求項３】
請求項２において、
前記記憶場所は内部記憶部であることを特徴とするメディア処理装置。
【請求項４】
ＣＤ、ＤＶＤなどのメディアの内、未使用のブランクメディアを厚さ方向に積層した状態で保管するためのブランクメディア供給部および前記ＣＤ、ＤＶＤなどのメディアの内、データを書き込まれた書き込み済みメディアを厚さ方向に積層した状態で保管するための書き込み済みメディア保管部を備えるメディア保管部と、前記メディアへのデータの書き込み、および前記メディアからのデータの読み出しを行うメディアドライブと、前記ブランクメディア供給部および書き込み済みメディア保管部における最も上の位置から順次にメディアを取り出し可能であり、これらブランクメディア供給部および書き込み済みメディア保管部における最も上の位置に、順次にメディアを収納可能であるメディア搬送機構とを備えたメディア処理装置の制御方法であって、
データ書き込み要求に応じて、前記メディア保管部の前記ブランクメディア供給部から、前記未使用のブランクメディアを取り出してデータを書き込む書込ステップと、
前記書込ステップで前記データが書き込まれたメディアを前記書き込み済みメディアとして前記メディア保管部の前記書き込み済みメディア保管部に収納し、所定の記憶場所に当該書き込み済みメディアの識別情報、収納場所情報および書き込みデータに関する情報を記憶する記憶ステップと、
データ参照あるいは出力要求に応じて、対象となる前記書き込み済みメディアを前記記憶場所に記憶されている記憶情報を参照して特定し、前記メディア保管部の前記書き込み済みメディア保管部から当該書き込み済みメディアを取り出して書き込みデータを読み出し、再び前記メディア保管部の前記書き込み済みメディア保管部に戻すステップと、を有し、
前記戻すステップは、更に、取り出し対象の前記書き込み済みメディアが前記書き込み済みメディア保管部における最も上の位置に無い場合には、当該取り出し対象の書き込み済みメディアの上に積層されている書き込み済みメディアを前記ブランクメディア供給部に一時的に退避させて、当該取り出し対象の書き込み済みメディアの取り出しを行わせるステップを含むことを特徴とするメディア処理方法。
【請求項５】
請求項４において、
データ追記要求に応じて、対象となる前記書き込み済みメディアを前記記憶場所に記憶されている記憶情報を参照して特定し、前記メディア保管部の前記書き込み済みメディア保管部から当該書き込み済みメディアを取り出して前記データを追記し、再び前記メディア保管部の前記書き込み済みメディア保管部に戻し、追記データに関する情報を前記記憶場所に記憶するステップを有することを特徴とするメディア処理装置の制御方法。
【発明の詳細な説明】
【技術分野】
【０００１】
本発明は、ＣＤ／ＤＶＤパブリッシャ、デュプリケータなどのメディア処理装置に関し、特に、メディアライブラリとしての機能を備えたメディア処理装置及びメディア処理装置の制御方法に関するものである。
【背景技術】
【０００２】
ＣＤ／ＤＶＤパブリッシャは、一般に、ブランクメディア・ストッカに収納されているブランクＣＤなどを内蔵のＣＤドライブに供給して、そこに所定のデータを書き込み、しかる後に、内蔵のプリンタによってレーベルなどをＣＤレーベル面に印刷して、作成済みメディア・ストッカに保管し、あるいは、排出口から発行するように構成されている。例えば、特許文献１にはこのようなパブリッシャが開示されている。【０００３】
また、レーベルをＣＤなどのメディアの表面に印刷する機構としては、特許文献２に、既印刷領域を示すマーキングを光ディスクに記録しておき、このマーキングに基づき、光ディスクの余白領域にレーベルを印刷するようにした光ディスク記録装置が開示されている。また、特許文献３には、印刷手段によってメディア上の印刷データを読み取り、これに基づき、メディア上の余白部分に印刷を行うように構成された追加印刷装置が開示されている。このような装置を用いれば、メディア表面の既印刷領域に重ならないようにレーベルを追記することができる。【０００４】
特許文献４には、マルチメディアデータの番組情報、番組の構成要素情報を関連付けて光ディスクのアセット情報として、画像データと共に光ディスクに登録するデータ作成装置と、登録された光ディスクを格納する光ディスクライブラリが開示されており、光ディスクに登録されたアセット情報をもとに外部から入力されたキーワードに対応する番組情報及び構成要素情報を引き当て、光ディスクライブラリから所望のマルチメディアデータを転送するように構成されている。また、特許文献５には、映像情報等のコンテンツ情報の所在情報をデータベース化し、ハードディスク等の固定式の記憶装置とＤＶＤ−ＲＡＭ等の着脱式記録メディアとを用いて、大容量のコンテンツを記録し管理する方法が開示されている。
【特許文献１】米国特許第５，９１４，９１８号公報
【特許文献２】特開２００４−１９２７３５号公報
【特許文献３】特開２００４−３５８７３２号公報
【特許文献４】特開２０００−２２２８６１号公報
【特許文献５】特開２００２−２３７１６９号公報
【発明の開示】
【発明が解決しようとする課題】
【０００５】
一般に、ＣＤ／ＤＶＤパプリッシャは、製作したメディアをストッカに保管し、あるいは製作したメディアを排出口から発行する動作を行うのみである。パブリッシャで製作された製作メディアを取り出すことなく、パブリッシャ内に保管した状態のままで、製作メディアのデータを、外部から参照し、あるいは、当該データを外部に出力することができない。さらには、製作メディアにデータを追記することもできない。勿論、製作したメディアを外部に取り出して、チェンジャなどの機能を備えた装置に収納すれば、データの参照、複製を行うことが可能になる。しかしながら、人手を介して製作メディアを取り扱うことは、データの信頼性の確保、機密データの漏洩などの問題を伴う。【０００６】
また、製作メディアにデータを追記する場合には、追記したデータのタイトルなどのレーベルも追記して、どのようなデータが書き込まれているのかが分かるようにすることが望ましい。この場合には、既に印刷されているレーベルに重なることなく、製作メディアの印刷面における余白部分に追記データに関するレーベルを印刷する必要がある。余白部分にレーベルを印刷するためには、既印刷部分を識別するための識別手段や、識別手段によって既印刷部分を読み取るためにメディアを回転させるなどの動作が必要になる。このために、従来のレーベル追記方法は装置コストが嵩むなどの問題がある。【０００７】
本発明の課題は、このような点に鑑みて、外部に取り出すことなく、製作メディアに書き込まれているデータの参照、製作メディアへのデータの追記などを行うことのできるＣＤパブリッシャなどのメディア処理装置を提案することにある。【０００８】
また、本発明の課題は、印刷画像の識別手段などを用いることなく、メディアのレーベル面に印刷を行うことのできるメディア処理装置を提案することにある。
【課題を解決するための手段】
【０００９】
本発明は、以下の構成により達成される。
（１）  ＣＤ、ＤＶＤなどのメディアを保管するメディア保管部と、
前記メディアへのデータの書き込み、および前記メディアからのデータの読み出しを行うメディアドライブと、
前記メディアを搬送するメディア搬送機構と、
前記メディアドライブおよび前記メディア搬送機構を駆動制御する制御部とを有し、
当該制御部は、データ書き込み要求に応じて、前記メディア保管部から、未使用のブランクメディアを取り出してデータを書き込み、書き込み済みメディアとして前記メディア保管部に戻し、所定の記憶場所に当該書き込み済みメディアの識別情報、収納場所情報および書き込みデータに関する情報を記憶するメディア書き込み制御動作と、データ参照あるいは出力要求に応じて、対象となる前記書き込み済みメディアを前記記憶場所に記憶されている記憶情報を参照して特定し、前記メディア保管部から当該書き込み済みメディアを取り出して書き込みデータを読み出し、再び前記メディア保管部に戻すデータ読み出し制御動作とを実行するメディア処理装置であって、
前記メディア保管部は、前記ブランクメディアを厚さ方向に積層した状態で保管するためのブランクメディア供給部および前記書き込み済みメディアを厚さ方向に積層した状態で保管するための書き込み済みメディア保管部を備えており、
前記メディア搬送機構は、これらブランクメディア供給部および書き込み済みメディア保管部における最も上の位置から順次にメディアを取り出し可能であり、これらブランクメディア供給部および書き込み済みメディア保管部における最も上の位置に、順次にメディアを収納可能であり、
前記制御部は、取り出し対象の前記書き込み済みメディアが前記書き込み済みメディア保管部における最も上の位置に無い場合には、当該取り出し対象の書き込み済みメディアの上に積層されている書き込み済みメディアを前記ブランクメディア供給部に一時的に退避させて、当該取り出し対象の書き込み済みメディアの取り出しを行わせることを特徴とするメディア処理装置。
（２）  （１）において、前記制御部は、データ追記要求に応じて、対象となる前記書き込み済みメディアを前記記憶場所に記憶されている記憶情報を参照して特定し、前記メディア保管部の前記書き込み済みメディア保管部から当該書き込み済みメディアを取り出して前記データを追記し、再び前記メディア保管部の前記書き込み済みメディア保管部に戻し、追記データに関する情報を前記記憶場所に記憶するデータ追記制御動作を実行することを特徴とするメディア処理装置。
（３）  （２）において、
前記記憶場所は内部記憶部であることを特徴とするメディア処理装置。
（４）  ＣＤ、ＤＶＤなどのメディアの内、未使用のブランクメディアを厚さ方向に積層した状態で保管するためのブランクメディア供給部および前記ＣＤ、ＤＶＤなどのメディアの内、データを書き込まれた書き込み済みメディアを厚さ方向に積層した状態で保管するための書き込み済みメディア保管部を備えるメディア保管部と、前記メディアへのデータの書き込み、および前記メディアからのデータの読み出しを行うメディアドライブと、前記ブランクメディア供給部および書き込み済みメディア保管部における最も上の位置から順次にメディアを取り出し可能であり、これらブランクメディア供給部および書き込み済みメディア保管部における最も上の位置に、順次にメディアを収納可能であるメディア搬送機構とを備えたメディア処理装置の制御方法であって、
データ書き込み要求に応じて、前記メディア保管部の前記ブランクメディア供給部から、前記未使用のブランクメディアを取り出してデータを書き込む書込ステップと、
前記書込ステップで前記データが書き込まれたメディアを前記書き込み済みメディアとして前記メディア保管部の前記書き込み済みメディア保管部に収納し、所定の記憶場所に当該書き込み済みメディアの識別情報、収納場所情報および書き込みデータに関する情報を記憶する記憶ステップと、
データ参照あるいは出力要求に応じて、対象となる前記書き込み済みメディアを前記記憶場所に記憶されている記憶情報を参照して特定し、前記メディア保管部の前記書き込み済みメディア保管部から当該書き込み済みメディアを取り出して書き込みデータを読み出し、再び前記メディア保管部の前記書き込み済みメディア保管部に戻すステップと、を有し、
前記戻すステップは、更に、取り出し対象の前記書き込み済みメディアが前記書き込み済みメディア保管部における最も上の位置に無い場合には、当該取り出し対象の書き込み済みメディアの上に積層されている書き込み済みメディアを前記ブランクメディア供給部に一時的に退避させて、当該取り出し対象の書き込み済みメディアの取り出しを行わせるステップを含むことを特徴とするメディア処理方法。
（５）  （４）において、
データ追記要求に応じて、対象となる前記書き込み済みメディアを前記記憶場所に記憶されている記憶情報を参照して特定し、前記メディア保管部の前記書き込み済みメディア保管部から当該書き込み済みメディアを取り出して前記データを追記し、再び前記メディア保管部の前記書き込み済みメディア保管部に戻し、追記データに関する情報を前記記憶場所に記憶するステップを有することを特徴とするメディア処理装置の制御方法。
【発明の効果】
【００１０】
本発明のメディア処理装置及びメディア処理装置の制御方法によれば、外部からのデータ参照要求などがあると、メディア保管部に保管されている書き込み済みメディアの収納場所および書き込みデータに関する情報が記憶保持されている所定の記憶場所の記憶情報に基づき、対象となる書き込み済みメディアを取り出して、内蔵のメディアドライブにセットして、データの参照や出力を行うことが可能である。したがって、製作されて内部に保管されている書き込み済みメディアを、メディアライブラリとして利用することができる。よって、メディアを外部に取り出して人手を介在させることなく、メディアの製作からメディアライブラリの構築まで単一の装置で行うことができるので、データの信頼性を確保できると共に、データの機密性も確保できる。【００１１】
また、本発明のメディア処理装置及びメディア処理装置の制御方法によれば、メディア保管部に保管されている書き込み済みメディアにデータを追記することが可能である。したがって例えば、病院、会計事務所などにおいて、１枚のメディアを一人のクライアントに割り当て、各クライアントの情報管理を、メディアとクライアントを一対一の対応関係で管理することできるなどの利点がある。【００１２】
本発明のメディア処理装置によれば、記憶場所は、メディア処理装置の内部記憶部を記憶場所として用いることができる。勿論、外部記憶装置を記憶場所として利用することも可能である。【００１５】
通常、メディアが外部に取り出されるまではメディアにレーベルを印刷する必要性は無い。レーベル印刷の必要性が発生するメディアの取り出し時点で、一括してレーベル印刷を行うことにより、レーベルを追加印刷する場合に必要となる既印刷部分を認識するためのセンサなどが不要となり、装置を廉価に構成できる。
【００１８】
また、本発明のメディア処理装置及びメディア処理装置の制御方法によれば、書き込み済みメディアのレーベル面に当該メディアの識別情報を印刷させた後にメディア保管部に戻すことを特徴としている。メディアに、当該メディアを識別するための識別情報を印刷しておけば、故障時あるいはメンテナンス時において各メディアを目視により識別することができるので便利である。
【図面の簡単な説明】
【００２１】
【図１】本発明を適用した顧客管理システムの概略構成図である。
【図２】図１のＣＤパブリッシャの概略構成図である。
【図３】図１のＣＤパブリッシャの動作を示す概略フローチャートである。
【図４】書き込みデータおよびレーベル印刷例を示す説明図である。
【図５】図１のＣＤパブリッシャの具体例を示す外観斜視図である。
【図６】図５のＣＤパブリッシャにおける開閉扉が開いた状態での斜視図である。
【図７】図５のＣＤパブリッシャの内部構造を示すための斜視図である。
【図８】図６のＶＩ−ＶＩ線に沿ったＣＤパブリッシャの模式的断面図である。
【図９】図５のＣＤパブリッシャのメディア搬送機構を示す斜視図である。
【図１０】図５のＣＤパブリッシャのレーベルプリンタを示す斜視図である。
【図１１】図９のプリンタのメディアトレイを示す平面図である。
【符号の説明】
【００２２】
１：データ管理システム、２：社内ＬＡＮ、３：クライアントＰＣ、４：管理サーバ、５：ＣＤパブリッシャ、１１、１１Ａ、１１Ｂ：メディア、１１ａ：レーベル印刷面、１２：メディア保管部、１３：メディアドライブ、１４：レーベルプリンタ、１５：メディア搬送機構、１６：制御部、１７：記憶部、１８：ブランクメディア供給部、１９：書き込み済みメディア保管部、２０：メディア排出口
【発明を実施するための最良の形態】
【００２３】
以下に、図面を参照して、本発明の実施の形態を説明する。図１は本発明を適用したＣＤパブリッシャを備えた顧客管理システムを示す概略構成図であり、例えば、病院、会計事務所などにおける顧客管理システムとして用いることができる。【００２４】
顧客管理システム１は、社内ＬＡＮ２と、当該社内ＬＡＮ２に接続されている多数台のクライアントＰＣ３と、社内ＬＡＮ２を管理している管理サーバ４と、当該社内ＬＡＮ２に接続されている一台のＣＤパブリッシャ５（メディア処理装置）とを有している。本例のＣＤパブリッシャ５はメディアライブラリとしての機能も備えている。【００２５】
クライアントＰＣ３は、基本的には一般的に用いられているＰＣと同一構成であり、入力装置および表示装置が接続されている。各クライアントＰＣ３で入力あるいは作成された顧客データは、社内ＬＡＮ２を介して管理サーバ４に供給され、管理サーバ４によって一元管理されるようになっている。【００２６】
管理サーバ４は、社内ＬＡＮ２を管理すると共に、各クライアントＰＣ３からのアクセス制限機能を備えている。また、一元管理されているデータベースＤＢを備えており、ここには、各クライアントＰＣ３で作成されたデータが所定レベルのアクセス制限が付与された状態で保管される。データベースＤＢには、ＣＤ発行履歴情報が蓄積される。ＣＤ発行履歴情報には、発行されるメディア（ＣＤ）のＩＤ、そこに書き込まれているデータを特定するための情報、発行年月日、発行を要求したユーザＩＤなどが含まれている。【００２７】
図２はＣＤパブリッシャ５の概略構成図である。ＣＤパブリッシャ５は、ＣＤ、ＤＶＤなどのメディア１１（ブランクメディア１１Ａおよび書き込み済みメディア１１Ｂ）を保管するためのメディア保管部１２と、メディア１１へのデータの書き込み、およびメディア１１からのデータの読み出しを行うメディアドライブ１３と、データが書き込まれたメディア１１のレーベル面１１ａに、書き込みデータを表すタイトルなど（書き込みデータに関する情報及び追記データに関する情報）のレーベルを印刷するためのレーベルプリンタ１４と、メディア１１を搬送するためのメディア搬送機構１５と、各部の駆動制御を司る制御部１６を有している。制御部１６は社内ＬＡＮ２に接続されている。また、制御部１６には、メディア保管部１２に収納されているデータが書き込まれている書き込み済みメディア１１ＢのＩＤ、収納場所および書き込みデータに関する情報を記憶している記憶部１７が接続されている。【００２８】
メディア保管部１２は、ブランクメディア１１Ａを厚さ方向に積層した状態で保管しているブランクメディア供給部１８と、書き込み済みメディア１１Ｂを同じく厚さ方向に積層した状態で保管するための書き込み済みメディア保管部１９とを備えている。メディア搬送機構１５は、これらブランクメディア供給部１８および書き込み済みメディア保管部１９における最も上の位置から順次にメディア１１を取り出し可能であり、これらブランクメディア供給部１８および書き込み済みメディア保管部１９における最も上の位置に、順次にメディア１１を収納可能である。【００２９】
本例の制御部１６は、ＬＡＮ２を介してクライアントＰＣ３などからデータ書き込み要求を受けると、メディア保管部１２のブランクメディア供給部１８からブランクメディア１１Ａを取り出してデータを書き込み、書き込み済みメディア１１Ｂとして、メディア保管部１１の書き込み済みメディア保管部１９に戻し、書き込み済みメディア１１ＢのＩＤ、収納場所および書き込みデータに関する情報を記憶部１７に記憶するメディア書き込み動作制御を実行する。【００３０】
また、データ追記要求を受けると、対象となる書き込み済みメディア１１Ｂが、メディア保管部１２の書き込み済みメディア保管部１９において上から何番目の位置に収納されているのかを、記憶部１７の記憶情報を参照して特定し、対象となる書き込み済みメディア１１Ｂを取り出してデータを追記し、再び同一場所に戻すデータ追記動作制御を実行する。この場合には、追記データに関する情報を記憶部１７に記憶する。【００３１】
さらに、データ参照要求あるいはデータ出力要求を受けると、対象となるデータが書き込まれている書き込み済みメディア１１Ｂが、メディア保管部１２の書き込み済みメディア保管部１９において上から何番目の位置に収納されているのかを、記憶部１７の記憶情報を参照して特定し、書き込み済みメディア１１Ｂを取り出して対象データを読み出し、再び同一場所に戻すデータ読み出し動作制御を実行する。【００３２】
ここで、制御部１６は、取り出し対象の書き込み済みメディア１１Ｂが書き込み済みメディア保管部１９における最も上の位置に無い場合には、当該取り出し対象の書き込み済みメディア１１Ｂの上に積層されている書き込み済みメディア１１Ｂをブランクメディア供給部１８に一時的に退避させて、当該取り出し対象の書き込み済みメディア１１Ｂの取り出しを行わせるメディア取り出し動作制御を実行する。【００３３】
次に、レーベルプリンタ１４によるメディア１１Ｂのレーベル面１１ａへのレーベル印刷は、制御部１６の制御の下に次のように行われる。まず、各メディア１１Ｂに対するレーベル印刷を、当該メディア１１Ｂに対する最後のデータの追記が行われた後に、プリンタ１４によって一括して行うようになっている。このために、記憶部１７には、書き込みデータに関する情報として、タイトルなどのレーベル印刷情報も記憶保持される。また、メディア排出要求（発行要求）があった場合には、対象となるメディア１１Ｂのレーベル印刷が行われていないときには、それまでの書き込みデータについてのレーベルを一括してプリンタ１４において印刷させた後に、当該メディア１１Ｂをメディア排出口２０から排出（発行）するようになっている。【００３４】
（ＣＤパブリッシャの動作説明）
図３はＣＤパブリッシャ５の動作を示す概略フローチャートである。以下に、このフローチャートを参照して、ＣＤパブリッシャ５の動作を説明する。まず、ＬＡＮ２を経由してクライアントＰＣ３、管理サーバ４などからデータ書き込み指令を受けると（ステップＳＴ１）、この指令と共に供給される書き込みデータの属性情報を確認し、ブランクメディア１１Ａへの書き込み指令であるのか（すなわち、第１回目の書き込みであるのか）、あるいは書き込み済みメディア１１Ｂへのデータ追記指令であるのかを判別する（ステップＳＴ２）。【００３５】
ブランクメディア１１Ａへの書き込み指令の場合には、メディア搬送機構１５によって、メディア保管部１２のブランクメディア供給部１８の最も上に位置しているブランクメディア１１Ａを取り出して（ステップＳＴ３）、メディアドライブ１３にセットして、当該メディアを特定するためのＩＤと、データの書き込みを行い、書き込み済みメディア１１Ｂを製作する（ステップＳＴ４）。また、当該書き込み済みメディア１１ＢのＩＤと、書き込まれたデータ名、データ構造などとを対応付けした形態で記憶部１７に記憶保持する（ステップＳＴ５）。この後は、書き込み済みメディア１１Ｂをレーベルプリンタ１４にセットして、そのレーベル面１１ａの外周縁、内周縁などの角にＩＤを印刷する（ステップＳＴ６）。そして、書き込み済みメディア１１Ｂをメディア保管部１２の書き込み済みメディア保管部１９に収納し、当該収納場所に関する情報を記憶部１７において、書き込み済みメディア１１ＢのＩＤに対応付けして記憶保持する（ステップＳＴ７）。【００３６】
次に、データ書き込み指令がデータ追記指令の場合には、追記データが最終のものであるか否かを、その属性情報に基づき識別する（ステップＳＴ１１）。最終の追記データではない場合には、追記データの属性情報に基づき、書き込み対象の書き込み済みメディア１１Ｂの収納場所を確認し、メディア搬送機構１５によって、書き込み済みメディア保管部１９から書き込み対象の書き込み済みメディア１１Ｂを取り出して（ステップＳＴ１２）、メディアドライブ１３にセットし、追記データの書き込みを行う（ステップＳＴ１３）。この後は、記憶部１７に、当該書き込み済みメディア１１Ｂに関する記憶場所に追記データ名などを記憶保持する（ステップＳＴ１４）。また、追記が終了した書き込み済みメディア１１Ｂをメディアドライブ１３から取り出して、書き込み済みメディア保管部１９における元の収納場所に戻す（ステップＳＴ１５）。【００３７】
一方、追記データが最終のものである場合には、その属性情報に基づき、書き込み対象の書き込み済みメディア１１Ｂの収納場所を確認し、メディア搬送機構１５によって、書き込み済みメディア保管部１９から書き込み対象の書き込み済みメディア１１Ｂを取り出して（ステップＳＴ２１）、メディアドライブ１３にセットし、追記データの書き込みを行う（ステップＳＴ２２）。この後はメディアドライブ１３によって、追記済みの書き込み済みメディア１１Ｂに、データの追記ができないようにファイナライズ処理を施す（ステップＳＴ２３）。しかる後は、記憶部１７に、当該書き込み済みメディア１１Ｂに関する記憶場所に追記データ名などを記憶保持する（ステップＳＴ２４）。【００３８】
この後は、追記が終了した書き込み済みメディア１１Ｂをメディアドライブ１３から取り出して、レーベルプリンタ１４にセットし、記憶部１７に記憶保持されている当該メディアに書き込まれているデータ名をレーベル面１１ａに一括印刷する（ステップＳＴ２５）。レーベルが一括して印刷された後の書き込み済みメディア１１Ｂは、書き込み済みメディア保管部１９における元の収納場所に戻される（ステップＳＴ２６）。【００３９】
次に、データ参照指令あるいはデータ出力指令を受け取った場合には（ステップＳＴ３１）、対象となるデータが収録されている書き込み済みメディア１１Ｂの収納場所を、記憶部１７の保持情報に基づき特定し、メディア搬送機構１５によって、書き込み済みメディア保管部１９から対象の書き込み済みメディア１１Ｂを取り出し、メディアドライブ１３にセットし（ステップＳＴ３２）、対象のデータを読み出す（ステップＳＴ３３）。データ参照あるいは出力が終了した後は、参照あるいは出力履歴を記憶部１７に記憶した後に（ステップＳＴ３４）、書き込み済みメディア１１Ｂを元の収納場所に戻す（ステップＳＴ３５）。【００４０】
一方、メディア取り出し指令が出ている場合には（ステップＳＴ４１）、取り出し対象の書き込み済みメディア１１Ｂの収納場所を、記憶部１７の保持情報に基づき特定すると共に、当該書き込み済みメディア１１Ｂが、最終のデータ追記が終了した書き込み済みメディア１１Ｂであるか、それ以外の書き込み済みメディア１１Ｂであるのかを判別する。換言すると、レーベル印刷が終了しているか否かを判別する（ステップＳＴ４２）。【００４１】
レーベル印刷が終了している書き込み済みメディア１１Ｂの場合には、メディア搬送機構１５によって、書き込み済みメディア保管部１９から対象の書き込み済みメディア１１Ｂを取り出し、メディアドライブ１３にセットして、書き込み済みメディア１１Ｂに、データの追記ができないようにファイナライズ処理を施す（ステップＳＴ４３）。この後は、当該書き込み済みメディア１１Ｂをメディア排出口２０に搬送して、取り出し可能にする（ステップＳＴ４４）。記憶部１７にはメディア１１Ｂが排出された旨が記憶保持される。【００４２】
レーベル印刷がされていないメディア１１Ｂの場合には、メディア搬送機構１５によって当該メディアをプリンタ１４にセットして、レーベル印刷を一括して行う（ステップＳＴ４５）。次に、印刷済みのメディア１１Ｂをメディアドライブ１３にセットして、書き込み済みメディア１１Ｂに、データの追記ができないようにファイナライズ処理を施す（ステップＳＴ４３）。しかる後に、当該書き込み済みメディア１１Ｂを排出口２０に搬送して、取り出し可能にする（ステップＳＴ４４）。記憶部１７にはメディア１１Ｂが排出された旨が記憶保持される。【００４３】
なお、書き込み済みメディア保管部１９から書き込み済みメディア１１Ｂを取り出す動作において、取り出し対象の書き込み済みメディア１１Ｂが最も上に位置していない場合には、前述したように、当該取り出し対象の書き込み済みメディア１１Ｂの上に積層されているメディアを取り出して、ブランクメディア供給部１８に一時的に退避させる。取り出し対象の書き込み済みメディア１１Ｂを取り出し、当該メディアに対する書き込みなどの動作が終了して、当該メディアが戻された後に、退避させてあったメディアを再び、書き込み済みメディア保管部１９に戻すようになっている。【００４４】
以上説明したように、本例のＣＤパブリッシャ５では、各メディア１１に対してデータの書き込み、追記を行うことができ、また、書き込み済みメディア１１Ｂのデータを参照あるいは出力することもできる。さらに、最後のデータの追記が行われた後、あるいは、書き込み済みメディア１１Ｂが取り出される場合には、それまでに書き込まれているデータのタイトルなどのレーベルを一括してレーベル面１１ａに印刷するようにしている。【００４５】
例えば、病院における顧客管理システムに本例のＣＤパブリッシャ５を適用した場合には、ある患者が数日に亘り検査を受けた場合などにおいて、そのデータをＣＤパブリッシャ５内の一枚のメディア１１に毎日書き込むことにより、一人の患者を管理できる。例えば図４（ａ）に示すように、５日間検査を行い、５日目が検査最終日であり、最終の検査結果が書き込まれた場合には、１日目から５日目までの検査項目が、最後の５日目の検査結果の書き込み後に、一括してメディア１１Ｂのレーベル面１１ａに印刷される。図４（ｂ）にはこの場合の印刷例を示してある。このように、本例のＣＤパブリッシャ５を用いて患者一人一人のデータ管理を一枚ずつのメディア１１を用いて行うことができる。【００４６】
また、本例のＣＤパブリッシャ５ではレーベル印刷が、最後のデータが書き込まれた後、あるいはメディアが取り出される時に一括して行われるので、前に印刷されているレーベルに重ならないように、印刷位置を確認するためのセンサや、そのためにメディアを回転させるなどの動作制御も不要となる。よって、簡単かつ廉価な構成によりレーベル印刷を行うことができる。また、このようにしても、レーベルが印刷される前においては、メディア１１はＣＤパブリッシャ５に内蔵されたままであるので、何ら不都合は発生しない。【００４７】
さらに、本例では、第１回目のデータ書き込み時においては、データ書き込み後のメディア１１Ｂをレーベルプリンタ１４に搬送して、そこにおいて、メディアＩＤをメディアレーベル面１１ａに印刷している。このように、データが書き込まれたメディア１１ＢにメディアＩＤを印刷しておけば、例えば、ＣＤパブリッシャ５が故障した場合、メンテナンスのためにメディア１１を取り出す場合などにおいて、各メディア１１Ｂの確認作業を目視により簡単に行うことができるので好ましい。【００４８】
なお、本例では、メディア保管部１２に収納されているデータが書き込まれている書き込み済みメディア１１Ｂの識別情報、収納場所情報、書き込みデータに関する情報及び追記データに関する情報を内部の記憶部１７に記憶保持するようにしている。かかる情報の記憶場所としては、ＣＤパブリッシャ５の内部の記憶部１７の代わりに、サーバ４のデータベース（サーバ内のＣＤ発行履歴情報と同じところでも可）、あるいは、クライアントＰＣ３のＨＤＤ内とすることもできる。また、ＣＤパブリッシャー５に繋がっているホストＰＣの記憶部内に記憶保持するようにしてもよい。勿論、複数の記憶場所に同一の記憶情報を記憶保持するようにしてもよい。【００４９】
（ＣＤパブリッシャの具体的構成例）
次に、図５ないし図１１を参照して、ＣＤパブリッシャ５の具体的構成例を説明する。【００５０】
図５はＣＤパブリッシャ５の外観斜視図である。ＣＤパブリッシャ５は、ほぼ直方体形状の筐体３１を備え、この筐体３１の前面には、左右に開閉可能な開閉扉３２、３３が取り付けられている。開閉扉３２、３３の下側右端部には、表示ランプ、操作ボタンなどが配列された操作面３４が形成されており、当該操作面３４の隣には、メディア排出口２０が開いている。【００５１】
図６は、開閉扉３２、３３を開いた状態でのＣＤパブリッシャ５の斜視図である。左側の開閉扉３２は閉じ状態にロックされており、操作面３４に個人認証手段、例えば、指紋センサなどを配置しておき、予め登録されている者のみが開閉できるようになっている。あるいは、管理サーバ４の側からの指令によって開閉可能となっている。これに対して、右側の開閉扉３３はレーベルプリンタ１４のインクカートリッジの交換時に開閉するためのものであり、当該開閉扉３３を開けると、カートリッジ装着部３６が露出するようになっている。本例では上下二段のカートリッジ装着部３６が形成されている。【００５２】
図７は、開閉扉３２、３３および筐体３１の一部を取り外した状態でのＣＤパブリッシャ５の斜視図、図８は、図６のＶＩ―ＶＩ線に沿って切ったＣＤパブリッシャ５の模式的断面図である。図６〜図８を参照して説明すると、ＣＤパブリッシャ５の筐体３１の内部には、その左側の部位において、ブランクメディア供給部１８および書き込み済みメディア保管部１９が同軸状態で上下に配置されている。ブランクメディア供給部１８は、前方に水平に引き出し可能なスライド板４１と、このスライド板４１の上に垂直に配置されている左右一対の円弧状の枠板４２、４３とを備えており、これらにより、メディア１１を上側から受け入れ、同軸状態に積層した状態で収納可能なストッカが構成されている。ブランクメディア供給部１８にメディア１１を収納あるいは補充する作業は、開閉扉３２を開け、スライド板４１を手前に引き出すことにより、簡単に行うことが可能となっている。【００５３】
下側の書き込み済みメディア保管部１９も同一構造となっており、前方に水平に引き出し可能なスライド板４４と、この上面に垂直に配置されている左右一対の円弧状の枠板４５、４６とを備えており、これらによって、ＣＤを上側から受け入れ、同軸状態で積層した状態で収納可能なストッカが構成されている。【００５４】
これらのブランクメディア供給部１８および書き込み済みメディア保管部１９の後側には、メディア搬送機構１５が配置されている。メディア搬送機構１５は、筐体３１に垂直に取り付けられているシャーシ５１と、このシャーシ５１の上下の水平支持板部分５２、５３の間に垂直に架け渡されている垂直ガイド軸５４と、この垂直ガイド軸５４に取り付けたメディアキャリア５５とを備えている。メディアキャリア５５は、垂直ガイド軸５４に沿って昇降可能であるとともに、当該垂直ガイド軸５４を中心に左右に旋回可能である。【００５５】
ブランクメディア供給部１８、書き込み済みメディア保管部１９およびメディア搬送機構１５の側方の部位には、上側にメディアドライブ１３が配置され、下側にレーベルプリンタ１４が配置されている。図６、７では、上側のメディアドライブ１３のメディアトレイ７１が手前に引き出されたメディア受け渡し位置７１Ａにある状態、および、下側のレーベルプリンタ１４のメディアトレイ８１が手前側のメディア受け渡し位置８１Ａにある状態が示されている。また、レーベルプリンタ１４はインクジェットプリンタであり、インク供給源として各色のインクカートリッジ８２が用いられており、これらのインクカートリッジ８２がカートリッジ装着部３６に前方から装着されている。【００５６】
ここで、ブランクメディア供給部１８および書き込み済みメディア保管部１９の左右一対の枠板４２、４３の間、４５、４６の間には、メディア搬送機構１５のメディアキャリア５５が昇降可能な隙間が形成されている。また、これら上下のメディア供給部１８およびメディア保管部１９の間には、メディアキャリア５５が水平に旋回して、これらの真上に位置できるように、隙間が開いている。さらに、上側のメディアトレイ７１をメディアドライブ１３に押し込むと、メディア搬送機構１５のメディアキャリア５５を下降させて、メディア受け渡し位置にあるメディアトレイ８１にアクセス可能となっている。したがって、メディアキャリア５５の昇降および左右への旋回の組み合わせ動作によって、メディア１１を各部分に搬送することが可能である。【００５７】
図９はメディア搬送機構１５のみを示す斜視図である。先に述べたように、メディア搬送機構１５は、筐体３１に対して垂直に取り付けられているシャーシ５１を備え、このシャーシ５１の上下の水平支持板部分５２、５３の間に、垂直ガイド軸５４が取り付けられ、この垂直ガイド軸５４にメディアキャリア５５が昇降および旋回可能な状態で支持されている。【００５８】
メディアキャリア５５の昇降機構は、駆動源であるモータ５６を備えており、このモータ５６の回転が、モータ出力軸に取り付けたピニオン５７、複合伝達歯車５８、および伝達歯車５９を備えた減速歯車列を介して、駆動側プーリ６１に伝達されるようになっている。駆動側プーリ６１は、シャーシ５１の上端近傍位置において、水平な回転軸（図示せず）を中心として回転自在の状態に支持されている。シャーシ５１の下端近傍位置には、同じく水平な回転軸６２を中心として回転自在の状態で従動側プーリ６３が支持されており、これら駆動側プーリ６１および従動側プーリ６３の間にタイミングベルト６４が架け渡されている。このタイミングベルト６４の左右のベルト部分の一方に、メディアキャリア５５の後端部分が固定されている。したがって、モータ５６を駆動すると、タイミングベルト６４が上下方向に移動し、そこに取り付けられているメディアキャリア５５が垂直ガイド軸５４に沿って昇降する。【００５９】
次に、メディアキャリア５５の旋回機構は、駆動源であるモータ６５を備えており、このモータ６５の出力軸にはピニオン（図示せず）が取り付けられて、このピニオンの回転が、２枚の複合伝達歯車６６、６７を備えた減速歯車列を介して、扇形の最終段歯車６９に伝達されるようになっている。扇形の最終段歯車６９は、垂直ガイド軸５４を中心として左右に旋回可能である。また、当該最終段歯車６９には、メディアキャリア５５の昇降機構の構成部品が組み付けられているシャーシ５１が搭載されている。モータ６５を駆動すると、扇形の最終段歯車６９が左右の旋回するので、ここに搭載されているシャーシ５１が一体となって垂直ガイド軸５４を中心として左右に旋回する。この結果、シャーシ５１に搭載されている昇降機構によって保持されているメディアキャリア５５が垂直ガイド軸５４を中心として左右に旋回する。【００６０】
なお、メディアキャリア５５は、その先端側の部位の中心に、例えば、３本の把持爪を備え、それらの一つが半径方向に移動可能となっている。これらの把持爪をメディア１１のセンターホールに差し込み、一本の爪を半径方向の外方に移動させることにより、メディア１１を把持できる。この把持状態において、一本の爪を半径方向の内方に移動させることにより、メディア１１を開放して把持爪から落下させることができる。メディアキャリア５５にはこのような把持機構が搭載されている。このような把持機構は、後述のレーベルプリンタ１４におけるメディアトレイ８１に組み込まれている把持機構と同様である。【００６１】
図１０はレーベルプリンタ１４のみを示す斜視図であり、図１１はそのメディアトレイ８１を示す平面図である。レーベルプリンタ１４はシャーシ８３を備え、このシャーシ８３における後側の左右の側板部分の間にはキャリッジガイド軸８４が水平に架け渡されており、ここに沿って、インクジェットヘッド（図示せず）が搭載されたヘッドキャリッジ８５が左右方向に往復移動可能である。キャリッジ駆動機構は、左右方向に水平に架け渡したタイミングベルト８６と、これを駆動するためのキャリッジモータ８７とを備えている。【００６２】
ヘッドキャリッジ８５に搭載されているインクジェットヘッドは、そのノズル面が下向きとされており、当該インクジェットヘッドの下側位置を、前後方向に水平にメディアトレイ８１が往復移動可能となっている。メディアトレイ８１は、その右側の端が、前後方向に水平に延びるガイド軸８８によって支持され、その左側の端が、スライド可能な状態で、前後方向に水平に延びるガイドレール８９によって支持されている。このメディアトレイ８１の駆動機構も、前後方向に水平に架け渡したタイミングベルト９０と、これを駆動するためのトレイモータ９１を備えた構成となっている。【００６３】
図１１に示すように、メディアトレイ８１は、矩形の板の上面に、メディア１１を載せるための円形の浅い凹部８１ａを備えている。また、当該凹部８１ａの中心部には、同一円上において１２０度間隔に配置された３本の垂直爪９２〜９４を備えている。２本の垂直爪９２、９３は半径方向に一体となって移動可能であり、残りの１本の垂直爪９４は、固定位置に配置されている。電磁ソレノイドなどの不図示駆動機構によって２本の垂直爪９２、９３が移動するようになっている。【００６４】
メディア１１を、そのレーベル面１１ａを上向きにして、上から凹部８１ａに落とすと、メディア１１のセンターホールに３本の垂直爪９２〜９４が差し込まれた状態になる。この後に、垂直爪９２、９３を半径方向の外方に僅かに移動すると、これら３本の垂直爪９２〜９４がメディア１１のセンターホールの内周面に内側から押し付けられた状態になる。これにより、メディア１１がメディアトレイ８１に保持される。この状態で、トレイモータ９１を駆動して、メディアトレイ８１をガイド軸８８に沿って後ろ側に移動させ、インクジェットヘッドの印字領域内まで移動させることができる。この後は、インクジェットヘッドによって、メディア１１の印刷面に所定の印刷を施すことができる。【００６５】
（その他の実施の形態）
なお、上記の例は、メディアとしては、ＣＤ、ＤＶＤなどの光ディスク、光磁気ディスクを用いた例であるが、メディアとしては、半導体メモリ、磁気記録媒体などの他の形式の外部記憶媒体を用いることもできる。また、外部記録媒体の書き込み、読み出し用のメディアドライブも、単一種類の外部記録媒体の書き込みおよび発行動作を行うものを用いることができることは勿論のこと、異なる種類あるいは形式の外部記録媒体の書き込み、および発行動作を行う機能を備えたものを用いることも可能である。
【図１】
0004766047.tif 000002
【図２】
0004766047.tif 000003
【図３】
0004766047.tif 000004
【図４】
0004766047.tif 000005
【図５】
0004766047.tif 000006
【図６】
0004766047.tif 000007
【図７】
0004766047.tif 000008
【図８】
0004766047.tif 000009
【図９】
0004766047.tif 000010
【図１０】
0004766047.tif 000011
【図１１】
0004766047.tif 000012